(57)【要約】      （修正有）【課題】スライドファスナーを有する物の内部が膨張する場合や、その物に対して外力が働いた場合でも、ファスナーテープの側端の間に隙間ができず、務歯部を露出させないことを目的とし、これにより、務歯部の外観の悪化及び損傷を防止することができるスライドファスナー構造を提供する。【解決手段】相互に噛み合わせ又は噛み合わせの解除を行う務歯頭部を有する務歯部２１，２２と、務歯部を覆い隠すファスナーテープ１１，２１と、ファスナーテープ１２に備えられて別のファスナーテープ１１に覆い被さる被覆部１２０と、を備える。【選択図】図１１
0003130528.tif 000002
【実用新案登録請求の範囲】
【請求項１】
相互に噛み合わせ又は噛み合わせの解除を行う務歯頭部を有する務歯部と、
前記務歯部を覆い隠すファスナーテープと、
前記ファスナーテープに備えられて別のファスナーテープに覆い被さる被覆部と、を備えることを特徴とするスライドファスナー構造。
【請求項２】
前記被覆部は、当該被覆部を備えたファスナーテープに備えられる前記務歯頭部を越える位置にあることを特徴とする請求項１に記載のスライドファスナー構造。
【請求項３】
前記被覆部の側端から務歯頭部までの長さの値は０．１乃至５．０ｍｍであることを特徴とする請求項２に記載のスライドファスナー構造。
【請求項４】
前記被覆部の側端から務歯頭部までの長さの値は０．８乃至１．５ｍｍであることを特徴とする請求項２に記載のスライドファスナー構造。
【請求項５】
上胴体と、前記上胴体裏面の中央一部に備えた中柱部と、前記中柱部を介して前記上胴体と連結する下胴体と、前記上胴体の前記被覆部を備えたファスナーテープを挿し込む側の一定部分に備えた切欠部と、を備えるスライダーを備えることを特徴とする請求項１乃至４の何れかに記載のスライドファスナー構造。
【請求項６】
前記切欠部は斜めに切欠いたことを特徴とする請求項５に記載のスライドファスナー構造。
【請求項７】
前記切欠部はアーチ状に切欠いたことを特徴とする請求項５に記載のスライドファスナー構造。
【請求項８】
前記上胴体の両側に前記切欠部を備えることを特徴とする請求項５乃至７の何れかに記載のスライドファスナー構造。
【請求項９】
前記スライダーを上げて閉じる操作をする時、前記被覆部は前記中柱部に当接して折り返され、前記務歯部が相互に噛み合わせを行った後、前記ファスナーテープに備えた前記被覆部が別のファスナーテープに覆い被さり、相互の務歯頭部が覆い隠されるようになって前記スライダーからでてくることを特徴とする請求項５乃至８の何れかに記載のスライドファスナー構造。
【考案の詳細な説明】
【技術分野】
【０００１】
本考案はスライドファスナー構造に関し、特に、務歯部を覆い隠すスライドファスナー構造に関する。
【背景技術】
【０００２】
図１４は一般的に使用されているスライドファスナーを示し、スライドファスナーが開いている状態を示す。スライドファスナー９は、スライダーを上げて閉じる操作を行うことにより相互に噛み合わせを行い、下げて開く操作を行うことにより相互に噛み合わせの解除を行う務歯頭部９２１を有する務歯部９２と、務歯部９２を覆い隠すファスナーテープ９１と、務歯部９２の軸方向を等方向に揃えて固定を補助する軸方向固定補助部９４と、ファスナーテープ９１及び軸方向固定補助部９４に対して等間隔かつ等方向に務歯部９２を固定する縫合部９３とを備えている（例えば特許文献１参照）。スライドファスナー９が開いている時、ファスナーテープ９１の側端は、務歯部９２の務歯頭部９２１を超えない位置にある。務歯部９２のほとんどの部分はファスナーテープ９１に覆い隠されるが、務歯頭部９２１はファスナーテープ９１から露出する位置にある。
【特許文献１】２００４‐０２４７４０号公報
【０００３】
一方、図１５はスライドファスナーが閉じている状態を示す。スライドファスナー９が閉じている時、ファスナーテープ９１の側端は相互に接し、相互の務歯頭部９２１は、務歯頭部９２１と一体となっていない他のファスナーテープ９１により覆い隠されるようになっている。
【考案の開示】
【考案が解決しようとする課題】
【０００４】
しかしながら、スライドファスナー９を有する物の内部が膨張する場合、例えば鞄の中にたくさんの品を詰め込んだ場合には、図１６に示すように、相互に接していたファスナーテープ９１の側端が離れ、その間に隙間９６ができ、務歯部９２が露出してしまうことがある。このような場合、スライドファスナー９は外観の悪化だけでなく、務歯部９２の損傷の原因にもなるという問題があった。これは、物の内部が膨張する場合だけでなく、物に対して外力が働いた場合も同様に起こりうる問題である。
【０００５】
このような問題に着目し、本考案は、スライドファスナーを有する物の内部が膨張する場合や、その物に対して外力が働いた場合でも、ファスナーテープの側端の間に隙間ができず、務歯部を露出させないことを目的とし、これにより、務歯部の外観の悪化及び損傷を防止することができるスライドファスナー構造を提供することを課題とする。
【課題を解決するための手段】
【０００６】
上記課題を解決するため、本考案の請求項１に係るファスナー構造は、相互に噛み合わせ又は噛み合わせの解除を行う務歯頭部を有する務歯部と、前記務歯部を覆い隠すファスナーテープと、前記ファスナーテープに備えられて別のファスナーテープに覆い被さる被覆部と、を備えることを特徴とする。
【０００７】
本考案の請求項２に係るファスナー構造は、請求項１に記載のスライドファスナー構造について、前記被覆部は、当該被覆部を備えたファスナーテープに備えられる前記務歯頭部を越える位置にあることを特徴とする。
【０００８】
本考案の請求項３に係るファスナー構造は、請求項２に記載のスライドファスナー構造について、前記被覆部の側端から務歯頭部までの長さの値は０．１乃至５．０ｍｍであることを特徴とする。
【０００９】
本考案の請求項４に係るファスナー構造は、請求項２に記載のスライドファスナー構造について、前記被覆部の側端から務歯頭部までの長さの値は０．８乃至１．５ｍｍであることを特徴とする。
【００１０】
本考案の請求項５に係るファスナー構造は、請求項１乃至４の何れかに記載のスライドファスナー構造について、上胴体と、前記上胴体裏面の中央一部に備えた中柱部と、前記中柱部を介して前記上胴体と連結する下胴体と、前記上胴体の前記被覆部を備えたファスナーテープを挿し込む側の一定部分に備えた切欠部と、を備えるスライダーを備えることを特徴とする。
【００１１】
本考案の請求項６に係るファスナー構造は、請求項５に記載のスライドファスナー構造について、前記切欠部は斜めに切欠いたことを特徴とする。
【００１２】
本考案の請求項７に係るファスナー構造は、請求項５に記載のスライドファスナー構造について、前記切欠部はアーチ状に切欠いたことを特徴とする。
【００１３】
本考案の請求項８に係るファスナー構造は、請求項５乃至７の何れかに記載のスライドファスナー構造について、前記上胴体の両側に前記切欠部を備えることを特徴とする。
【００１４】
本考案の請求項９に係るファスナー構造は、請求項５乃至８の何れかに記載のスライドファスナー構造について、前記スライダーを上げて閉じる操作をする時、前記被覆部は前記中柱部に当接して折り返され、前記務歯部が相互に噛み合わせを行った後、前記ファスナーテープに備えた前記被覆部が別のファスナーテープに覆い被さり、相互の務歯頭部が覆い隠されるようになって前記スライダーからでてくることを特徴とする。
【考案の効果】
【００１５】
上記構成により、本考案のスライドファスナー構造は、スライドファスナーを有する物の内部が膨張する場合や、その物に対して外力が働いた場合でも、ファスナーテープの側端の間に隙間ができないので務歯部を露出させず、その結果、務歯部の外観の悪化及び損傷を防止することができる。
【考案を実施するための最良の形態】
【００１６】
以下、本考案を実施するための最良の形態について説明する。図１は本考案で使用するスライドファスナーを構成する各部の斜視図を示し、図２は相互のファスナーテープを分離した状態の斜視図を示す。スライドファスナー１０は、スライダーを用いて閉じる操作を行うことにより相互に噛み合わせを行い、開く操作を行うことにより相互に噛み合わせの解除を行う務歯頭部２１１，２２１を有する務歯部２１，２２と、務歯部２１，２２を覆い隠すファスナーテープ１１，１２と、務歯部２１，２２の軸方向を等方向に揃えて固定を補助する軸方向固定補助部４１，４２と、ファスナーテープ１１，１２及び軸方向固定補助部４１，４２に対して等間隔かつ等方向に務歯部２１，２２を固定する縫合部３１，３２とを備えている。
【００１７】
図３はスライドファスナーが開いている時の断面図を示す。図３に示すように、ファスナーテープ１１の側端は、務歯部２１の務歯頭部２１１を超えない位置にある。一方、ファスナーテープ１２の側端は務歯部２２の務歯頭部２２１を十分に超える位置にあり、スライドファスナー１０が閉じる時にファスナーテープ１１に覆い被さる被覆部１２０を備えている。務歯頭部２２１を十分に超える被覆部１２０の側端から務歯頭部２２１までの長さ１２１の値は、約０．１乃至５．０ｍｍが適当であり、約０．８乃至１．５ｍｍが最適である。
【００１８】
また、務歯部２１，２２は輪型をしており、軸方向固定補助部９４により務歯部９２の軸方向を等方向に揃えて固定を補助し、縫合部３１，３２によりファスナーテープ１１，１２及び軸方向固定補助部４１，４２に対して務歯部２１，２２を固定している。これにより、務歯部２１，２２はファスナーテープ１１，１２に堅く固定される。
【００１９】
図４はスライドファスナーが閉じている時の断面図を示し、図５は斜視図を示す。スライドファスナー１０は、スライダーを用いて閉じる操作を行うことにより務歯部２１，２２が相互に噛み合わせを行う。この時、ファスナーテープ１２の被覆部１２０がファスナーテープ１１に覆い被さり、相互の務歯頭部２１１，２２１が覆い隠されるようになっている。
【００２０】
このように構成されたスライドファスナー１０を有する物の内部が膨張する場合、例えば鞄の中にたくさんの品を詰め込んだ場合には、図６に示すように、ファスナーテープ１２の被覆部１２０は、ファスナーテープ１１に覆い被さっていた位置から離れる方向に少しだけ移動するもののファスナーテープ１１とファスナーテープ１２の間には隙間はできず、務歯部２１，２２は露出することがない。
【００２１】
図７はスライダーを下げて相互のファスナーテープを分離した状態の斜視図を示し、図８はスライダーを上げてスライドファスナーが閉じている時の斜視図を示す。スライドファスナー１０は、スライダー６を上げて閉じる操作を行うことにより務歯部２１，２２が相互に噛み合わせを行い、下げて開く操作を行うことにより務歯部２１，２２が相互に噛み合わせの解除を行う。しかしながら、上記したように、ファスナーテープ１２の側端に備えた被覆部１２０は、務歯部２２の務歯頭部２２１を十分に超える位置にあり、これはスライダーの中央部分を超える位置にあることを示す。この状態で一般的に使用されているスライダーを用いて上下に開閉操作する時、被覆部１２０はスライダーの中央部分の位置にある中柱部に当接して折り返され、スライダー内部で被覆部１２０が引っ掛かる等して円滑な操作の障害になる。
【００２２】
図９は本考案で使用するスライダー６の斜視図を示し、図１０はスライダー６を真上から見た平面図を示す。スライダー６は、上胴体１と、上胴体１表面の中央全体に備えた引き手を掛ける引手掛部３と、上胴体１裏面の中央一部に備えた中柱部４と、中柱部４を介して上胴体１と連結する下胴体２とを備え、上胴体１と下胴体２との間は中柱部４により連結することにより、スライダー６の内部はＹ字を形成している。
【００２３】
図９に示すように、上胴体１は右側部の上角部から下側部の中央部まで、すなわち、上胴体１の右下側部に斜めに切り欠いた切欠部７を形成することによりスペース８を形成している。スペース８は被覆部１２０を備えるファスナーテープ１２を挿し込む側に備えている。これにより、被覆部１２０がスライダーの中央部分の位置にある中柱部４に当接して折り返されても、スライダー６内部で被覆部１２０が引っ掛かる等することはなく、円滑な操作を可能にする。なお、上胴体１の右上側部はファスナーテープ１２を挿し込んでファスナーテープ１２と務歯部２２を脱落させることなく円滑にガイドを行う部分であるため、切欠部７は一定の部分にのみ形成するのが良く、その部分が多ければ良いというものではない。
【００２４】
その他、上胴体１と下胴体２の左側部及び下胴体１の右側部は、ファスナーテープ１１，１２と務歯部２１，２２を脱落させることなく円滑にガイドを行うガイド壁部５を備え、また、上胴体１と下胴体２の左側部は、ガイド壁部５間にガイド切欠部５１を形成している。ガイド切欠部５１は被覆部を備えていないファスナーテープ１１を挿し込む側に備える。さらに、スライダー６の下側部は、上胴体１と下胴体２の務歯部２１，２２の噛み合わせまたは噛み合わせの解除を行う務歯噛合部６１を備えている。
【００２５】
図１１はスライダー６内でファスナーテープ１１，１２及び務歯部２１，２２を挿し込む時の断面図を示す。ファスナーテープ１２の被覆部１２０は、務歯部２２の務歯頭部２２１を十分に越える位置にあり、これはスライダー６の中央部分を超える位置にあることを示す。この状態でスライダー６を上げて閉じる操作をする時、被覆部１２０はスライダー６の中央部分の位置にある中柱部４に当接して折り返されるが、上胴体１の右下側部に形成した切欠部７により形成されたスペース８により、スライダー６内部で被覆部１２０が引っ掛かる等することはなく、円滑な操作を可能にする。そして、務歯噛合部６１により務歯部２１，２２が相互に噛み合わせを行った後は、ファスナーテープ１２の被覆部１２０がファスナーテープ１１に覆い被さり、相互の務歯頭部２１１，２２１が覆い隠されるようになってスライダー６からでてくる。なお、スライダー６を下げて開く操作をする時は、上記の逆の動作を行い、円滑な操作を可能にする。
【００２６】
なお、上記ではファスナーテープ１２に被覆部１２０を備えた形態について説明したが、ファスナーテープ１１にも被覆部を備えても良い。この場合、スライダー６の形状も変更する必要がある。図１２は相互のファスナーテープに被覆部を備えた場合のスライダーの斜視図を示す。すなわち、上胴体１の両下側部に斜めに切欠いた切欠部７を形成することにより、スペース８を形成している。これにより、両方または何れか一方のファスナーテープ１１，１２に被覆部を備える形態に適用することができる。その他、上記の実施の形態では切欠部７は、斜めに切欠いた切欠部７を形成しているが、図１３に示すように、アーチ状に形成する等、その形状は任意に設計変更できるものである。最後に、本考案は、以上の実施の形態について説明したが、その考案の要旨を逸脱しない範囲であれば、適宜に変更及び実施できるものである。
【図面の簡単な説明】
【００２７】
【図１】本考案で使用するスライドファスナーを構成する各部の斜視図
【図２】相互のファスナーテープを分離した状態の斜視図
【図３】スライドファスナーが開いている時の断面図
【図４】スライドファスナーが閉じている時の断面図
【図５】スライドファスナーが閉じている時の斜視図
【図６】スライドファスナーを有する物の内部が膨張した時の状態図
【図７】スライダーを下げて相互のファスナーテープを分離した時の状態図
【図８】スライダーを上げてスライドファスナーが閉じている時の状態図
【図９】本考案で使用するスライダーの斜視図
【図１０】スライダーを真上から見た平面図
【図１１】スライダー内でファスナーテープ及び務歯部を挿し込む時の断面図
【図１２】別の形態のスライダーの斜視図
【図１３】別の形態のスライダーの平面図
【図１４】従来のスライドファスナーが開いている時の断面図
【図１５】従来のスライドファスナーが閉じている時の断面図
【図１６】従来のスライドファスナーを有する物の内部が膨張した時の状態図
【符号の説明】
【００２８】
１  上胴体
２  下胴体
３  引手掛部
４  中柱部
５  ガイド壁部
６  スライダー
７  切欠部
８  スペース
１０  スライドファスナー
１１，１２  ファスナーテープ
２１，２２  務歯部
３１，３２  縫合部
４１，４２  軸方向固定補助部
５１  ガイド切欠部
６１  務歯噛合部
１２０  被覆部
１２１  被覆部の側端から務歯頭部までの長さ
２１１，２２１  務歯頭部
【図１】
0003130528.tif 000003
【図２】
0003130528.tif 000004
【図３】
0003130528.tif 000005
【図４】
0003130528.tif 000006
【図５】
0003130528.tif 000007
【図６】
0003130528.tif 000008
【図７】
0003130528.tif 000009
【図８】
0003130528.tif 000010
【図９】
0003130528.tif 000011
【図１０】
0003130528.tif 000012
【図１１】
0003130528.tif 000013
【図１２】
0003130528.tif 000014
【図１３】
0003130528.tif 000015
【図１４】
0003130528.tif 000016
【図１５】
0003130528.tif 000017
【図１６】
0003130528.tif 000018